(57)【特許請求の範囲】
【請求項１】
画像形成装置本体に対して開閉可能に組み付けられた開閉カバーと、前記画像形成装置本体に設けられたホルダに保持され、前記開閉カバーの開閉状態を検知するスイッチとを有し、前記開閉カバーには、前記開閉カバーが閉じられたときに前記スイッチを押圧する押し圧部材が設けられている画像形成装置において、
前記ホルダは前記画像形成装置本体に対して可動に組み付けられており、前記開閉カバーには、更に、前記開閉カバーが閉じられたときに前記ホルダを位置決めする位置決め部材が設けられていることを特徴とする画像形成装置。
【請求項２】
画像形成装置本体に対して開閉可能に組み付けられた開閉カバーと、前記画像形成装置本体に設けられたホルダに保持され、前記開閉カバーの開閉状態を検知するスイッチとを有し、前記開閉カバーには、前記開閉カバーが閉じられたときに前記スイッチを押圧する押し圧部材が設けられている画像形成装置において、
前記ホルダは前記画像形成装置本体に対して可動に組み付けられており、前記押し圧部材は、前記開閉カバーが閉じられたときに前記ホルダを位置決めする位置決め部材としての機能を兼ね備えることを特徴とする画像形成装置。
【請求項３】
前記位置決め部材および前記押し圧部材は、前記開閉カバーに一体的に設けられていることを特徴とする請求項1または２に記載の画像形成装置。
【請求項４】
前記開閉カバーがシートの搬送経路の一部を兼ねることを特徴とする請求項１から３のいずれか１項に記載の画像形成装置。
【発明の詳細な説明】
【０００１】
【発明の属する技術分野】
本発明は、例えば複写機、レーザービームプリンター、ファクシミリ等の画像形成装置に関し、特に、カバーの開閉を検知する構成に関する。
【０００２】
【従来の技術】
図４は、代表例としての従来のレーザービームプリンターが示される。以下にこのレーザービームプリンターの全体的構成及び機能について説明する。
【０００３】
図４において、レーザービームプリンターの装置本体下部には、シートSを積載収納する給紙カセット20が装着されている。尚、給紙カセット20はレーザービームプリンターの本体に対して着脱可能に構成されている。21は給紙ローラであり上記給紙カセット20に積載されているシートSを最上側より1枚づつ給送する。22はガイド部材であり、前記給紙ローラ21によって給送されたシートSをガイドするものである。23は搬送ローラで、24は従動コロである。搬送ローラ23と従動コロ24で搬送ローラ対を形成している。
【０００４】
25はレジストローラ対であり、停止しているレジストローラ対25のニップ部にシートSの先端部を突き当ててループを形成し斜行を補正した後、所定のタイミングで回転してシートSを画像形成手段に搬送する。26はプロセスカートリッジで、装置本体に対して着脱自在に装備されている。このプロセスカートリッジ26の内部には感光ドラム27とその周囲に図示しない一次帯電器、現像器などの画像形成手段が装備されている。28は画像情報に応じてレーザー光を走査するレーザースキャナーであり、感光体ドラム27に対して書き込み(潜像形成)を行う。29は転写ローラであり、上記感光体ドラム27と圧接しており、シートSが転写ローラ29と感光体ドラム27との間を通過する際に感光体ドラム27より現像像(トナー像)を転写される。
【０００５】
30は搬送ガイドであり、画像転写後のシートSを定着装置に導くものである。定着装置はシートSに転写された画像(トナー像)を定着させるもので、定着ローラ31と加圧ローラ32、定着排紙ローラ対33などを装備している。シートSは搬送ローラ対34により排紙ローラ対35へと送られ、画像定着後のシートSを画像形成面を下にして装置外に排出する。36は排紙トレイであり、装置本体の上面に形成されており、画像定着後に装置外に排出されたシートSを積載保持する。
【０００６】
上述したように構成されたレーザービームプリンターの画像形成動作について説明すると、図示しないホストコンピュータより画像形成を指示されると、まず給紙ローラ21が回転し、給紙カセット20内の最上側のシートSから1枚づつ給送され、ガイド部材22にガイドされて搬送ローラ23と従動コロ24とからなる搬送ローラ対とレジストローラ対25に導かれる。
【０００７】
そして、レジストローラ対25は、感光ドラム27に形成された画像とタイミングを合わせてシートSを感光ドラム27と転写ローラ29との間に搬送し、シートSは感光ドラム27と転写ローラ29との間を通過する際に画像(トナー像)が転写される。
【０００８】
さらに、画像転写後のシートSは、搬送ガイド30に沿って定着装置に搬送され、定着ローラ31と加圧ローラ32との間を通過する際に、熱及び圧力が印加されて転写画像が定着される。画像定着後のシートSは、定着排紙ローラ33により搬送され、さらに排出ローラ対35により排紙トレイ36上に排出・積載される。
【０００９】
次に、開閉カバー、開閉検知機構について、図５を参照して詳しく説明する。図５は従来のレーザービームプリンターの開閉カバー機構の概略図である。
【００１０】
図５において、1は装置本体で、2は開閉カバーである。開閉カバー2は装置本体1に対して、揺動支持軸7を支点に揺動可能に組み付けられている。開閉カバー2には、開閉カバー2を装置本体1に係止させる係止部材8が揺動支持軸9を支点に揺動可能に組み付けられている。6は開閉カバー2の開閉を検知するスイッチで、5はスイッチ6を保持するホルダである。装置本体1に設けられた位置決めボス1ｃよってホルダ5は装置本体1に固定されている。揺動支持軸7を中心に開閉カバー2を開状態から閉状態へと旋回させ閉じることにより、係止部材8が揺動支持軸9を支点に揺動して引っかけ部8aがロック部1bに引っかかることで、開閉カバー2は装置本体1に閉状態に係止される。開閉カバー2に組み付けられた押し圧部材4がスイッチ6を押し圧してスイッチ6が開閉カバー2の閉状態を検知する。
【００１１】
また、係止部材8の把手部8bを上方へ持ち上げると、係止部8は揺動支持軸9を中心に揺動して、引っかけ部8aがロック部1bから外れて開閉カバー2の係止を解除する。解除された開閉カバー2を開状態へと旋回させると押し圧部材４がスイッチ6への押し圧を解除することにより、開閉カバー2の開状態を検知する。
【００１２】
【発明が解決しようとする課題】
しかし、上記従来の技術では以下に述べるような問題があった。
【００１３】
近年、レーザービームプリンターの構造が複雑になり、ホルダ５の装置本体１への組み付け公差、開閉カバー２の装置本体１への組み付け公差、位置決め部材（位置決めボス１ｃ等）及び押し圧部材４の開閉カバー２への組み付け公差など、スイッチ６と押し圧部材４との間には多くの部品を介しており、それぞれの部品公差が両者の位置精度の間にのってしまう。
【００１４】
すなわち、画像形成装置本体１では、装置本体１に備え付けられた開閉カバー２の開閉状態を検知するスイッチ６と開閉カバー２に備え付けられたスイッチを押し圧する押し圧部材４との位置精度がでにくい。
【００１５】
そのため、開閉カバー２を閉じたにもかかわらずスイッチを押し圧することができずに開状態を検知してまいプリンターが動作しない。又は、開閉カバー２が搬送経路の一部を兼ねる場合などは、開閉ガイドが正規の閉状態ではないのに閉状態を検知してしまうことでジャム（JAM）を引き起こしてしまう場合がある。
【００１６】
そこで、本発明は開閉カバー２の開閉状態を確実に検知する画像形成装置を提供することを目的とする。
【００１７】
【課題を解決するための手段】
第１の発明は、画像形成装置本体に対して開閉可能に組み付けられた開閉カバーと、前記画像形成装置本体に設けられたホルダに保持され、前記開閉カバーの開閉状態を検知するスイッチとを有し、前記開閉カバーには、前記開閉カバーが閉じられたときに前記スイッチを押圧する押し圧部材が設けられている画像形成装置において、前記ホルダは前記画像形成装置本体に対して可動に組み付けられており、前記開閉カバーには、更に、前記開閉カバーが閉じられたときに前記ホルダを位置決めする位置決め部材が設けられていることを特徴とする画像形成装置にある。
【００１８】
第２の発明は、画像形成装置本体に対して開閉可能に組み付けられた開閉カバーと、前記画像形成装置本体に設けられたホルダに保持され、前記開閉カバーの開閉状態を検知するスイッチとを有し、前記開閉カバーには、前記開閉カバーが閉じられたときに前記スイッチを押圧する押し圧部材が設けられている画像形成装置において、前記ホルダは前記画像形成装置本体に対して可動に組み付けられており、前記押し圧部材は、前記開閉カバーが閉じられたときに前記ホルダを位置決めする位置決め部材としての機能を兼ね備えることを特徴とする画像形成装置にある。
【００１９】
第３の発明は、上記いずれかの発明で、前記位置決め部材および前記押し圧部材は、前記開閉カバーに一体的に設けられていることを特徴とする。
【００２１】
第４の発明は、上記いずれかの発明で、前記開閉カバーがシートの搬送経路の一部を兼ねることを特徴とする。
【００２４】
【発明の実施の形態】
以下に図面を参照して、この発明の好適な実施の形態を例示的に詳しく説明する。但し、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００２５】
＜第１の実施の形態＞
まず、本発明に係る画像形成装置本体の第１実施の形態について説明する。第１の実施の形態は、従来例の図４と同様の画像形成装置に適用したものである。よって図４と共通の構成については同一の符号を付して説明を省略する。
【００２６】
図1は本発明に係る画像形成装置の第1実施の形態の一部構造図である。
【００２７】
図1において、1は装置本体で、2は開閉カバーである。開閉カバー2は装置本体1に対して、揺動支持軸7を支点に揺動可能に組み付けられている。開閉カバー2には、開閉カバー2を装置本体1に係止させる係止部材8が揺動支持軸9を支点に揺動可能に組み付けられている。
【００２８】
6は開閉カバー2の開閉を検知するスイッチで、5はスイッチ6を保持するホルダである。
【００２９】
ホルダ5には、スイッチ6の位置を決める位置決めボス5aと、ホルダ5が上下に移動可能になるための上下に長孔のスリット5bとが設けられている。
【００３０】
スイッチ6は、ホルダ5の位置決めボス5aで位置を決められ、ホルダ5に固定されている。1aはホルダ5を上下に移動可能に係止する装置本体１に設けられた係止部で、ホルダ５のスリット５ｂに嵌り込んでいて、ホルダ5を装置本体1に対して上下方向に移動可能に係止している。
【００３１】
3はホルダ5の位置を決める位置決め部材で、4はスイッチ6を押し圧して開閉カバー2の開閉状態を検知させる押し圧部材で、いずれも開閉カバー2に一体的に形成されている。
【００３２】
また、ホルダ5には、位置決め部材3を案内する横長の溝状に形成された案内部5cと、押し圧部材４を案内する横長の溝状に形成された入り口5dが設けられている。
【００３３】
揺動支持軸7を中心に、開閉カバー2を開状態から閉状態へと旋回させると、旋回するにつれて位置決め部材3は案内部5cへと導かれ、案内部5cの入口部に形成された斜面に沿って奥へと案内される。位置決め部材3の挿入動作につれてホルダ5は上下方向に動き所定の位置へと案内される。同時に押し圧部材4も入り口5dからスイッチ6へと誘導される。開閉カバー2を閉じることにより、係止部材8が揺動支持軸9を支点に揺動して引っかけ部8aがロック部1bに引っかかることで、開閉カバー2は装置本体1に閉状態に係止される。
【００３４】
その際、開閉カバー2が装置本体1に対して閉状態に係止された時に、開閉カバー2に固定されている位置決め部材3と押し圧部材4の位置も自動的に決まる。位置決め部材3の案内部5cへの案内に応じて上下方向に移動していたホルダ5の位置も決まり、ホルダ5の位置が決まることによりスイッチ6の位置も決まる。
【００３５】
そして、押し圧部材4がスイッチ6を押し圧することによって、開閉カバー2の閉状態を検知する。
【００３６】
また、係止部材8の把手部8bを上方へ持ち上げると、係止部8は揺動支持軸9を中心に揺動して、引っかけ部8aがロック部1bから外れて開閉カバー2の係止を解除する。解除された開閉カバー2を開状態へと旋回させると位置決め部材3及び押し圧部材4がホルダ5から離れ、ホルダ5は初期位置へと戻り押し圧されていたスイッチ6は押し圧を解除されることによって開閉カバー2の開状態を検知する。
【００３７】
＜第２の実施の形態＞
次に、本発明に係る画像形成装置の第2実施の形態について説明する。但し、第1実施の形態と同一の構成部分については同一の符号を付してその説明は省略する。
【００３８】
図2は本発明に係る画像形成装置の第2実施の形態の一部構成図である。
【００３９】
開閉カバー2は搬送経路の一部を担う搬送案内部2aと、ホルダ5の位置を決める位置決め部材、及びスイッチ6を押し圧する押し圧部材を兼ねる突起部2bと、画像形成装置本体の外観部の一部を担う外観面2cの役割を兼ねる。10は搬送経路の一部を担う搬送ガイドである。
【００４０】
揺動支持軸7を支点に開閉カバー2を閉状態に旋回させると、突起部2bがホルダ5に設けられた案内部5eに沿ってスイッチ6へと案内される。突起部2bが案内部5eに沿って案内されるにつれてホルダ5も上下に動かされ、所定の位置へと案内される。
【００４１】
係止部材8と装置本体に設けられたロック部1bによって、開閉カバー2が閉状態に係止されると突起部2bの位置が決まる。突起部2bの位置が決まることにより、突起部2bの動作に応じて動いていたホルダ5の位置も決まり、スイッチ6が突起部2bに押し圧され開閉カバー2の閉状態を検知する。開閉カバー2が閉状態に係止されることで、搬送案内部2aと搬送ガイド10とで、シートの搬送経路の一部を形成する。
【００４２】
また、開閉カバー2の係止を解除して開閉カバー2を開状態へと旋回させると、突起部2bがホルダ5から離れ、ホルダ5は初期位置へと戻り、押し圧されていたスイッチ6は押し圧を解除されることによって開閉カバー2の開状態を検知することになる。
【００４３】
＜参考の実施の形態＞
次に、本発明に係る画像形成装置の参考の実施の形態について説明する。但し、第1実施の形態、第2実施の形態と同一の構成部分については同一の符号を付してその説明は省略する。
【００４４】
図3は本発明に係る画像形成装置の参考の実施の形態の一部構成図である。
【００４５】
4はスイッチ6を押し圧する押し圧部材で、揺動支持軸11を支点に揺動可能に開閉カバー2に組み付けられている。装置本体1に設けられた位置決めボス1cが位置決め孔に嵌合することによって、ホルダ5は装置本体1に固定されている。ホルダ5には押し圧部材4をスイッチ6へと案内する横長の溝状に形成された案内部5eが設けられている。
【００４６】
開閉カバー2を閉状態へと旋回させると、押し圧部材4は案内部5eの入口側に形成された斜面に沿ってスイッチ6へと導かれていく。開閉カバー2が係止部材8とロック1bとで閉状態に係止されたときの開閉カバー2とスイッチ6の位置関係に応じて、押し圧部材4は案内部5eに沿って、揺動支持軸11を支点に回動してスイッチ6へと案内されスイッチ6を押し圧する。
【００４７】
また、開閉カバー2の係止を解除して開閉カバー2を開状態へと旋回させると、押し圧部材4がスイッチ6から離れ、押し圧を解除されることによって開閉カバー2の開状態を検知する。
【００５７】
【発明の効果】
以上説明したように本発明によれば、開閉カバーを閉じると、スイッチを押し圧する押し圧部材に対してスイッチが所定の位置に位置決めされるので、開閉カバーの開閉状態の検知、すなわちスイッチのON・OFFを正確に動作させることが可能になる。
【図面の簡単な説明】
【図１】本発明の第1実施の形態に係る画像形成装置の一部構成図
【図２】本発明の第2実施の形態に係る画像形成装置の一部構成図
【図３】参考の実施の形態に係る画像形成装置の一部構成図
【図４】従来の画像形成装置としてのレーザービームプリンターの構造図
【図５】図４に示されるレーザービームプリンターの開閉カバー機構の概略図
【符号の説明】
１ 装置本体
２、１５開閉カバー
３、１２、１４位置決め部材
４、１２ 押し圧部材
５ ホルダ
６ スイッチ
８ 係止部材
【図１】
0003943840.tif 000002
【図２】
0003943840.tif 000003
【図３】
0003943840.tif 000004
【図６】
0003943840.tif 000005
【図７】
0003943840.tif 000006
【図４】
0003943840.tif 000007
【図５】
0003943840.tif 000008